【手続補正書】
【提出日】平成21年12月16日(2009.12.16)
【手続補正１】
【補正対象書類名】特許請求の範囲
【補正対象項目名】全文
【補正方法】変更
【補正の内容】
【特許請求の範囲】
【請求項１】
無線通信システムにおいて制御チャネルをモニターリングする方法において、
端末がＤＲＸ(Discontinuous  Reception)周期の間に目覚め、
目覚めた前記端末がモニターリング区間の間にＰＤＣＣＨ(Physical  Downlink  Control  Channel)をモニターリングすることを含み、
前記端末は、前記モニターリング区間の間に前記ＰＤＣＣＨが成功的にデコーディングされると、前記モニターリング区間後に拡張区間の間に前記ＰＤＣＣＨのモニターリングを続ける方法。
【請求項２】
前記端末は、ネットワークから前記端末に前記モニターリング区間の長さを指示する設定情報を受信することをさらに含む請求項１に記載の方法。
【請求項３】
前記ＰＤＣＣＨは、資源割当のスケジューリング情報を含む請求項１に記載の方法。
【請求項４】
前記端末は、ネットワークから前記端末に、前記端末がＰＤＣＣＨのモニターリングをいつ中止するかを指示する設定情報を受信することをさらに含む請求項１に記載の方法。
【請求項５】
前記端末は、ネットワークから前記端末に、前記拡張区間の長さを指示する設定情報を受信することをさらに含む請求項１に記載の方法。
【請求項６】
前記端末は、前記モニターリング区間の間に少なくとも一つの周期的ＣＱＩ(Channel  Quality  Indicator)を伝送することをさらに含む請求項１に記載の方法。
【請求項７】
無線通信システムにおいて制御チャネルをモニターリングする方法において、
端末がＤＲＸ(Discontinuous  Reception)周期の間に目覚め、
目覚めた前記端末がモニターリング区間の間にＰＤＣＣＨ(Physical  Downlink  Control  Channel)をモニターリングすることを含み、
前記端末は、前記モニターリング区間の間に前記ＰＤＣＣＨが成功的にデコーディングされないと、前記ＤＲＸ区間の間に睡眠モード(sleep  mode)に進入する方法。
【請求項８】
前記端末は、ネットワークから前記端末に前記モニターリング区間の長さを指示する設定情報を受信することをさらに含む請求項７に記載の方法。
【請求項９】
前記ＰＤＣＣＨは、資源割当のスケジューリング情報を含む請求項７に記載の方法。
【請求項１０】
前記端末は、ネットワークから前記端末に、前記端末がＰＤＣＣＨのモニターリングをいつ中止するかを指示する設定情報を受信することをさらに含む請求項７に記載の方法。
【請求項１１】
前記端末は、ネットワークから前記端末に、前記拡張区間の長さを指示する設定情報を受信することをさらに含む請求項７に記載の方法。
【請求項１２】
前記端末は、前記モニターリング区間の間に少なくとも一つの周期的ＣＱＩ(Channel  Quality  Indicator)を伝送することをさらに含む請求項７に記載の方法。
【請求項１３】
無線通信システムにおいて制御チャネルをモニターリングする端末において、
ＤＲＸ(Discontinuous  Reception)周期の間に目覚め、
目覚めた前記端末がモニターリング区間の間にＰＤＣＣＨ(Physical  Downlink  Control  Channel)をモニターリングするプロセッサを含み、
前記ＰＤＣＣＨは、ネットワークからの資源割当情報を含み、
前記プロセッサは、前記モニターリング区間の間に前記ＰＤＣＣＨが成功的にデコーディングされると、前記モニターリング区間後に拡張区間の間に前記ＰＤＣＣＨのモニターリングを続ける端末。
【請求項１４】
前記プロセッサは、前記ネットワークから前記モニターリング区間の長さを指示する設定情報を受信することをさらに含む請求項１３に記載の端末。
【請求項１５】
無線通信システムにおいて制御チャネルをモニターリングする端末において、
ＤＲＸ(Discontinuous  Reception)周期の間に目覚め、
目覚めた前記端末がモニターリング区間の間にＰＤＣＣＨ(Physical  Downlink  Control  Channel)をモニターリングするプロセッサを含み、
前記ＰＤＣＣＨは、ネットワークからの資源割当情報を含み、
前記プロセッサは、前記モニターリング区間の間に前記ＰＤＣＣＨが成功的にデコーディングされないと、前記ＤＲＸ区間の間に睡眠モード(sleep  mode)に進入する端末。
【手続補正２】
【補正対象書類名】明細書
【補正対象項目名】００２３
【補正方法】変更
【補正の内容】
【００２３】
他の態様において、無線通信システムにおいて制御チャネルをモニターリングする方法は、モニターリング区間の間にＰＤＣＣＨ(Physical Downlink Control Channel)をモニターリングする段階、及び前記モニターリング区間の間にＰＤＣＣＨを成功的にデコーディングする時、拡張区間の間に前記ＰＤＣＣＨをモニターリングする段階、を含む。前記モニターリング区間はＤＲＸ(DiscontinuousReception)周期の一部であり、前記ＤＲＸ周期は非モニターリング区間が続く前記モニターリング区間の周期的反復を定義する。
例えば、本発明は以下の項目を提供する。
（項目１）
無線通信システムにおいて制御チャネルをモニターリングする方法において、
モニターリング区間の間にＰＤＣＣＨ(Physical  Downlink  Control  Channel)をモニターリングする段階を含み、上記モニターリング区間はＤＲＸ(Discontinuous  Reception)周期の一部であり、上記ＤＲＸ周期は非モニターリング区間が続く上記モニターリング区間の周期的反復を定義することを特徴とする方法。
（項目２）
上記非モニターリング区間の間に上記ＰＤＣＣＨのモニターリングを中止するようにするＤＲＸ設定を受信する段階をさらに含むことを特徴とする項目１に記載の方法。
（項目３）
上記モニターリング区間は、連続的なＴＴＩ(Transmission  Time  Interval)の数によって定義されることを特徴とする項目１に記載の方法。
（項目４）
上記モニターリング区間の間に周期的ＣＱＩ(Channel  Quality  Indicator)報告を伝送する段階をさらに含むことを特徴とする項目１に記載の方法。
（項目５）
上記ＰＤＣＣＨは、スケジューリング割当を伝達することを特徴とする項目１に記載の方法。
（項目６）
上記モニターリング区間の間にダウンリンク割当またはアップリンク割当を指示する上記ＰＤＣＣＨを成功的にデコーディングする時、連続的なＴＴＩの数によって定義される拡張区間の間に上記ＰＤＣＣＨをモニターリングする段階をさらに含むことを特徴とする項目１に記載の方法。
（項目７）
上記拡張区間に対する情報は、基地局から伝達されることを特徴とする項目６に記載の方法。
（項目８）
上記拡張区間の間に上記ＰＤＣＣＨがデコーディングされないと、上記ＤＲＸ周期に再進入する段階をさらに含むことを特徴とする項目６に記載の方法。
（項目９）
無線通信システムにおいて制御チャネルをモニターリングする方法において、
モニターリング区間の間にＰＤＣＣＨ(Physical  Downlink  Control  Channel)をモニターリングする段階；及び、
上記モニターリング区間の間にＰＤＣＣＨを成功的にデコーディングする時、拡張区間の間に上記ＰＤＣＣＨをモニターリングする段階を含み、上記モニターリング区間はＤＲＸ(Discontinuous  Reception)周期の一部であり、上記ＤＲＸ周期は非モニターリング区間が続く上記モニターリング区間の周期的反復を定義することを特徴とする方法。
（項目１０）
上記モニターリング区間の間に上記ＰＤＣＣＨが成功的にデコーディングされない時、上記非モニターリング区間の間に上記ＰＤＤＣＨのモニターリングを中止する段階をさらに含むことを特徴とする項目９に記載の方法。
（項目１１）
上記モニターリング区間と上記拡張区間とに対する情報は、基地局から伝達されることを特徴とする項目９に記載の方法。
（項目１２）
上記拡張区間の間に上記ＰＤＣＣＨがデコーディングされないと、上記ＤＲＸ周期に再進入する段階をさらに含むことを特徴とする項目９に記載の方法。